(57)【特許請求の範囲】
【請求項１】
前側に表示面を有する表示部と、
該表示部の周縁部を取り囲むフロントキャビネットと、
前記表示部の後側を覆うバックキャビネットと
を備えた表示装置において、
前記フロントキャビネットには熱の移動を妨げる空洞が設けられており、
前記表示部の外周面と対向する前記フロントキャビネットの内面には光源が設置されている
ことを特徴とする表示装置。
【請求項２】
前記フロントキャビネット又はバックキャビネットは外面に溝を有する
ことを特徴とする請求項１に記載の表示装置。
【請求項３】
前記フロントキャビネットは、
前記表示面の周囲を取り囲む前面部と、
該前面部の外周縁に沿って後側に周設され、前記表示部の外周面を取り囲む周面部と
を有し、
前記空洞は前記前面部及び周面部が会合する角部に設けられている
ことを特徴とする請求項１又は２に記載の表示装置。
【請求項４】
前記フロントキャビネットにおける前記空洞を設けた部分が他の部分よりも突出していることを特徴とする請求項１から３のいずれか一つに記載の表示装置。
【請求項５】
前記フロントキャビネットに、外部に連通する連通孔が前記空洞に設けてあることを特徴とする請求項１から４のいずれか一つに記載の表示装置。
【請求項６】
前記連通孔を前記フロントキャビネットに複数設けてあることを特徴とする請求項５に記載の表示装置。
【請求項７】
前記フロントキャビネットは、
前記表示面の周囲を取り囲む前面部と、
該前面部の外周縁に沿って後側に周設され、前記表示部の外周面を取り囲む周面部と
を有し、
前記空洞は前記前面部及び周面部が会合する角部に設けられており、
前記フロントキャビネットは前記角部を含む外面に溝を有し、
前記表示部の外周面と対向する前記フロントキャビネットの内面には、該外周面の法線及び前記表示面の法線に対して略直交する方向に配列した複数の前記光源が設置されており、
前記溝は前記光源の配列方向に対して略平行に設けられている
ことを特徴とする請求項２に記載の表示装置。
【請求項８】
前記光源はアルミニウム製の基板に実装された発光ダイオードであり、
前記基板を前記フロントキャビネットに設置してあること
を特徴とする請求項２又は７に記載の表示装置。
【請求項９】
前記フロントキャビネットは前記角部を含む外面に溝を有し、
前記角部の外面における前記溝の深さは、前記フロントキャビネットの他の部分における前記溝の深さより深い
ことを特徴とする請求項３に記載の表示装置。
【請求項１０】
前記溝の断面形状、幅又は深さは前記光源の配列方向に対して略一定である
ことを特徴とする請求項７に記載の表示装置。
【請求項１１】
前記空洞は前記光源の配列方向に対して略平行に貫設されている
ことを特徴とする請求項７に記載の表示装置。
【請求項１２】
前記フロントキャビネットは押出成形によって形成されている
ことを特徴とする請求項１から１１のいずれか一つに記載の表示装置。
【請求項１３】
前記フロントキャビネットは金属製であることを特徴とする請求項１２に記載の表示装置。
【請求項１４】
前記フロントキャビネットはアルミニウム製であることを特徴とする請求項１３に記載の表示装置。
【請求項１５】
前記表示部の後側に配置され、入射光を前記表示部に向けて出射する導光板を備え、
前記表示部及び導光板を前記フロントキャビネット及びバックキャビネットによって前後から挟持してあること
を特徴とする請求項１から１４のいずれか一つに記載の表示装置。
【請求項１６】
前記フロントキャビネットは、後方に突出しており、前記導光板を後側に押圧する押圧部を備えることを特徴とする請求項１５に記載の表示装置。
【請求項１７】
前記バックキャビネットはアルミニウム製であることを特徴とする請求項１から１６のいずれか一つに記載の表示装置。
【請求項１８】
前記フロントキャビネットの少なくとも一部を被覆するカバーを備えること
を特徴とする請求項１に記載の表示装置。
【請求項１９】
前記フロントキャビネットは複数の杆状部材を接合して構成してあり、
前記カバーは前記杆状部材の接合部分を被覆していること
を特徴とする請求項１８に記載の表示装置。
【請求項２０】
前記表示部の外周面と対向する前記フロントキャビネットの内面には光源が設置されており、
前記カバーは、前記フロントキャビネットの外面における前記光源を設置した前記内面に対応した部分を被覆していること
を特徴とする請求項１８又は１９に記載の表示装置。
【請求項２１】
前記カバーにおける前記外面を被覆している部分に貫通孔を設けてあること
を特徴とする請求項２０に記載の表示装置。
【請求項２２】
前記カバーは非被覆部を有すること
を特徴とする請求項１８又は１９に記載の表示装置。
【請求項２３】
請求項１から２２のいずれか一つに記載の表示装置と、
テレビジョン放送を受信する受信部と
を備え、
前記表示装置は前記受信部が受信したテレビジョン放送の映像を表示するようにしてあること
を特徴とするテレビジョン受信機。
【発明の詳細な説明】
【技術分野】
【０００１】
本発明は、液晶テレビジョン、プラズマテレビジョン等の表示装置及びテレビジョン受信機に関する。
【背景技術】
【０００２】
液晶テレビジョン、プラズマテレビジョン等の表示装置は大型化傾向にあり、表示装置内部からの発熱量も増大している。そこで、表示装置における様々な放熱技術が開示されている（例えば、特許文献１、２参照）。また、表示装置において、狭額縁化及び薄型化が求められている。
【先行技術文献】
【特許文献】
【０００３】
【特許文献１】特開２００６−５８５８７号公報
【特許文献２】特開２００８−１３６０４０号公報
【発明の概要】
【発明が解決しようとする課題】
【０００４】
しかしながら、表示装置の更なる大型化、狭額縁化、薄型化等が進んだ場合、表示装置を構成するキャビネットの温度は従来以上に上昇することが懸念される。かかる場合、ユーザが高温状態のキャビネットに触れることは困難になる。
【０００５】
本願に係る表示装置は、本発明は斯かる事情に鑑みてなされたものである。その目的は、ユーザが触れても熱さを感じにくいキャビネットを備えた表示装置及びテレビジョン受信機を提供することにある。
【課題を解決するための手段】
【０００６】
本願に係る表示装置は、前側に表示面を有する表示部と、該表示部の周縁部を取り囲むフロントキャビネットと、前記表示部の後側を覆うバックキャビネットとを備えた表示装置において、前記フロントキャビネットには熱の移動を妨げる空洞が設けられており、前記表示部の外周面と対向する前記フロントキャビネットの内面には光源が設置されていることを特徴とする。
【０００７】
本願に係る表示装置では、フロントキャビネットに空洞が設けられている。当該空洞は空気が充填され、熱の移動を妨げる機能を有する。また本願に係る表示装置は、表示部、フロントキャビネット及びバックキャビネットを備えている。表示部は、前側に表示面を有している。フロントキャビネットは、表示部の周縁部を取り囲み、表示部の外周面と対向する内面に発熱する光源が設置されている。
【０００８】
本願に係る表示装置は、前記フロントキャビネット又はバックキャビネットは外面に溝を有することを特徴とする。
【０００９】
本願に係る表示装置では、フロントキャビネット又はバックキャビネットの外面には、溝が設けられている。フロントキャビネット又はバックキャビネットの溝は、キャビネットの外面が空気と触れる面積を増大する。
【００１０】
本願に係る表示装置は、前記フロントキャビネットは、前記表示面の周囲を取り囲む前面部と、該前面部の外周縁に沿って後側に周設され、前記表示部の外周面を取り囲む周面部とを有し、前記空洞は前記前面部及び周面部が会合する角部に設けられていることを特徴とする。
【００１１】
本願に係る表示装置では、フロントキャビネットは、前面部と周面部とを有する。前面部は、表示部の前側に位置する表示面の周囲を取り囲んでいる。周面部は、前面部の外周縁に沿って後側に突設されており、表示部の外周面を取り囲んでいる。空洞は、前面部と周面部とが会合する角部に設けられている。
【００１２】
本願に係る表示装置は、前記フロントキャビネットにおける前記空洞を設けた部分が他の部分よりも突出していることを特徴とする。
【００１３】
本願に係る表示装置では、空洞周辺が外向きに突出しているので、空洞周辺の表面積が突出していない場合に比べて大きくなり、放熱効率が向上する。また表面積が大きくなることで、熱が分散し、表面温度が低下する。
【００１４】
本願に係る表示装置は、前記フロントキャビネットに、外部に連通する連通孔が前記空洞に設けてあることを特徴とする。
【００１５】
本願に係る表示装置では、外部に連通する連通孔を介して空洞内の空気が通流し、冷却効率が向上する。
【００１６】
本願に係る表示装置は、前記連通孔を前記フロントキャビネットに複数設けてあることを特徴とする。
【００１７】
本願に係る表示装置では、複数の孔を設けることにより、一の孔は吸気孔として機能し、他の孔は排気孔として機能する。そのため空洞内の通気が円滑に行われ、速やかな冷却が実現される。
【００１８】
本願に係る表示装置は、前記フロントキャビネットは、前記表示面の周囲を取り囲む前面部と、該前面部の外周縁に沿って後側に周設され、前記表示部の外周面を取り囲む周面部とを有し、前記空洞は前記前面部及び周面部が会合する角部に設けられており、前記フロントキャビネットは前記角部を含む外面に溝を有し、前記表示部の外周面と対向する前記フロントキャビネットの内面には、該外周面の法線及び前記表示面の法線に対して略直交する方向に配列した複数の前記光源が設置されており、前記溝は前記光源の配列方向に対して略平行に設けられていることを特徴とする。
【００１９】
本願に係る表示装置では、表示部の外周面と対向するフロントキャビネットの内面に、複数の光源が設置されている。複数の光源は、表示部の外周面の法線及び表示部の表示面の法線に対して直交する方向に配列して設置されている。フロントキャビネット又はバックキャビネットの外面に設けられた溝が伸びる方向は、光源の配列方向に対して略平行である。
【００２０】
本願に係る表示装置は、前記光源はアルミニウム製の基板に実装された発光ダイオードであり、前記基板を前記フロントキャビネットに設置してあることを特徴とする。
【００２１】
本願に係る表示装置では、光源である発光ダイオードを実装した基板をアルミニウム製とすることによって、フロントキャビネットへの熱伝導が促進される。またフロントキャビネットがアルミニウム製である場合、基板とフロントキャビネットとの熱膨張率が同じになり、バイメタル効果による歪みの発生が防止される。
【００２２】
本願に係る表示装置は、前記フロントキャビネットは前記角部を含む外面に溝を有し、前記角部の外面における前記溝の深さは、前記フロントキャビネットの他の部分における前記溝の深さより深いことを特徴とする。
【００２３】
本願に係る表示装置では、フロントキャビネットは前側角部を含む外面に溝を有する。前面部と周面部とが会合するフロントキャビネットの前側角部の外面に形成されている溝の深さは、フロントキャビネットの他の部分における溝の深さより深い。
【００２４】
本願に係る表示装置は、前記溝の断面形状、幅又は深さは前記光源の配列方向に対して略一定であることを特徴とする。
【００２５】
本願に係る表示装置では、溝の断面形状、幅又は深さは、光源の配列方向に対して一定である。
【００２６】
本願に係る表示装置は、前記空洞は前記光源の配列方向に対して略平行に貫設されていることを特徴とする。
【００２７】
本願に係る表示装置では、空洞は貫設されており、空洞の伸びる方向は光源の配列方向に対して略平行である。
【００２８】
本願に係る表示装置は、前記フロントキャビネットは押出成形によって形成されていることを特徴とする。
【００２９】
本願に係る表示装置では、フロントキャビネットは押出成形によって形成されている。
【００３０】
本願に係る表示装置は、前記フロントキャビネットは金属製であることを特徴とする。
【００３１】
本願に係る表示装置では、フロントキャビネットが金属なので、効率的な熱の伝達を実現することができる。
【００３２】
本願に係る表示装置は、前記フロントキャビネットはアルミニウム製であることを特徴とする。
【００３３】
本願に係る表示装置では、フロントキャビネットをアルミニウム製とすることによって、表示装置の軽量化が促進され、また効率的な放熱が実現される。
【００３４】
本願に係る表示装置は、前記表示部の後側に配置され、入射光を前記表示部に向けて出射する導光板を備え、前記表示部及び導光板を前記フロントキャビネット及びバックキャビネットによって前後から挟持してあることを特徴とする。
【００３５】
本願に係る表示装置では、表示パネル及び導光板の間に支持部材を介在させずに、フロントキャビネット及びバックキャビネットによって表示パネル及び導光板を前後から挟持するので、導光板及び表示パネル間の寸法が短縮され、装置の薄型化を実現することができる。また放熱のための部材を削減するので、表示装置の軽量化を実現することができる。
【００３６】
本願に係る表示装置は、前記フロントキャビネットは、後方に突出しており、前記導光板を後側に押圧する押圧部を備えることを特徴とする。
【００３７】
本願に係る表示装置では、押圧部によって導光板を前側から押圧し、導光板に対する挟持力を向上させる。
【００３８】
本願に係る表示装置は、前記バックキャビネットはアルミニウム製であることを特徴とする。
【００３９】
本願に係る表示装置では、バックキャビネットをアルミニウム製とすることによって、表示装置の軽量化が促進され、また効率的な放熱が実現される。
【００４０】
本願に係る表示装置は、前記フロントキャビネットの少なくとも一部を被覆するカバーを備えることを特徴とする。
【００４１】
本願に係る表示装置では、フロントキャビネットにユーザが直接手を触れることをカバーによって防止し、安全性の向上を図る。
【００４２】
本願に係る表示装置は、前記フロントキャビネットは複数の杆状部材を接合して構成してあり、前記カバーは前記杆状部材の接合部分を被覆していることを特徴とする。
【００４３】
本願に係る表示装置では、杆状部材同士の接合部分をカバーで被覆し、光漏れを防ぐ。
【００４４】
本願に係る表示装置は、前記表示部の外周面と対向する前記フロントキャビネットの内面には光源が設置されており、前記カバーは、前記フロントキャビネットの外面における前記光源を設置した前記内面に対応した部分を被覆していることを特徴とする。
【００４５】
本願に係る表示装置では、フロントキャビネットの外面において、光源を設置したフロントキャビネットの内面に対応する部分をカバーにて被覆し、光源から伝導した熱によって最も高温になっている箇所を被覆する。
【００４６】
本願に係る表示装置は、前記カバーにおける前記外面を被覆している部分に貫通孔を設けてあることを特徴とする。
【００４７】
本願に係る表示装置では、カバーに貫通孔を設けることによって、高温部分を被覆して安全性を向上させ且つフロントキャビネットに伝導した熱を確実に放出する。
【００４８】
本願に係る表示装置は、前記カバーは非被覆部を有することを特徴とする。
【００４９】
本願に係る表示装置では、カバーに非被覆部（例えば切欠又は穴）を設けており、非被覆部を、光源を設置したフロントキャビネットの内面の反対側に位置する外面に位置させた場合、放熱効率が向上する。またフロントキャビネットにおける光源を設置していない部分の外面に非被覆部を位置させた場合、光源を設置した部分は被覆され、光源を設置していない部分は露出し、露出した部分から放熱する。
【００５０】
本願に係るテレビジョン受信機は、上記に記載の表示装置と、テレビジョン放送を受信する受信部とを備え、前記表示装置は前記受信部が受信したテレビジョン放送の映像を表示するようにしてあることを特徴とする。
【００５１】
本願に係るテレビジョン受信機では、上記に記載の表示装置及びテレビジョン放送を受信する受信部を備えている。表示装置は、受信部が受信したテレビジョン放送に係る映像を表示する。
【発明の効果】
【００５２】
本発明によれば、ユーザは表示装置及びテレビジョン受信機のキャビネットに触れても熱さを感じにくい。
【図面の簡単な説明】
【００５３】
【図１】テレビジョン受信機の概略斜視図である。
【図２】表示部、フロントキャビネット及びバックキャビネットを分解した概略斜視図である。
【図３】表示部、フロントキャビネット及びバックキャビネットの断面図である。
【図４】フロントキャビネットの一部を略示する斜視図である。
【図５】図３の切断線Ｖ−Ｖで切断したフロントキャビネットの断面図である。
【図６】図３の切断線ＶＩ−ＶＩで切断したフロントキャビネットの断面図である。
【図７】フロントキャビネット及びバックキャビネットによる挟持を説明する説明図である。
【図８】フロントキャビネットの製造工程を説明する説明図である。
【図９】実施の形態２に係るテレビジョン受信機を部分的に略示する縦断面図である。
【図１０】フロントキャビネットの一部を略示する斜視図である。
【図１１】実施の形態３に係るテレビジョン受信機を部分的に略示する縦断面図である。
【図１２】実施の形態４に係るテレビジョン受信機を部分的に略示する縦断面図である。
【図１３】実施の形態５に係るテレビジョン受信機を略示する分解斜視図である。
【図１４】テレビジョン受信機を部分的に略示する縦断面図である。
【図１５】実施の形態６に係るテレビジョン受信機を略示する分解斜視図である。
【図１６】テレビジョン受信機を部分的に略示する縦断面図である。
【図１７】実施の形態７に係るテレビジョン受信機を略示する分解斜視図である。
【図１８】テレビジョン受信機を部分的に略示する縦断面図である。
【図１９】実施の形態８に係るテレビジョン受信機を略示する分解斜視図である。
【図２０】実施の形態９に係るテレビジョン受信機を部分的に略示する縦断面図である。
【図２１】実施の形態１０に係るテレビジョン受信機を部分的に略示する縦断面図である。
【図２２】実施の形態１１に係るテレビジョン受信機を部分的に略示する縦断面図である。
【図２３】実施の形態１２に係るテレビジョン受信機の右側部分を略示する正面図である。
【図２４】図２３に示すＸＸＩＶ−ＸＸＩＶ線を切断線としたフロントキャビネットの略示断面図である。
【発明を実施するための形態】
【００５４】
以下、本発明の一実施例における表示装置を、実施の形態を示す図面に基づいて説明する。本実施の形態に係る表示装置は、例えば液晶テレビジョン、プラズマテレビジョン、ワンセグ対応携帯電話等のテレビジョン受信機を含む。また、本実施の形態に係る表示装置は、パーソナルコンピュータ、ＡＴＭ（Automatic Teller Machine）、券売機等の液晶ディスプレイ、有機ＥＬ（Electro Luminescence）ディスプレイ、ＳＥＤ（Surface-conduction Electron-emitter Display）等を含む。さらに、本実施の形態に係る表示装置は、スマートフォン、タブレット端末等のディスプレイを含む。以下では、表示装置の一例として、テレビジョン受信機を挙げて説明する。
なお、本発明は、以下の実施の形態に限定されるものではない。
【００５５】
実施の形態１
図１は、テレビジョン受信機の概略斜視図である。ここで、テレビジョン受信機１が映像を表示する表示面２１に対して視聴者が正対した場合、表示面２１から視聴者側を前側、その反対である表示面２１から奥側を後側とする。表示面２１は横長の略矩形であり、視聴者から表示面２１に向かって、表示面２１の長手方向右側を右、表示面の長手方向左側を左とする。また、視聴者から表示面２１に向かって、短手方向上側を上、短手方向下側を下とする。図１は、テレビジョン受信機１を前側右斜め上から示している。
【００５６】
テレビジョン受信機１は、表示部２、フロントキャビネット３、バックキャビネット４、受信部Ｔ、電源Ｐ及びスタンドＳを含む。表示部２は、前側のフロントキャビネット３により前側周縁部が取り囲まれている。フロントキャビネット３は、前側から見て、矩形枠状をなす。フロントキャビネット３の前側上部、前側下部及び周面部には複数本の溝３０が表示面２１の外周と略平行に設けられている。後側のバックキャビネット４は、略平板状をなし、表示部２及び一部のフロントキャビネット３を後側から覆っている。
【００５７】
フロントキャビネット３は押出成形されたアルミニウム部材からなる。バックキャビネット４は、前側が開放された矩形のトレイ状をなし、プレス加工されたアルミニウム部材からなる。フロントキャビネット３及びバックキャビネット４をアルミニウム製にすることによって、効率の良い放熱を実現し、また両者の熱膨張係数の差を小さくして歪みの発生を防止することができる。なおフロントキャビネット３及びバックキャビネット４を電気亜鉛めっき鋼板、銅部材などの他の金属部材によって構成してもよい。耐食性、美観等の観点から電気亜鉛めっきが施される。またフロントキャビネット３又はバックキャビネット４を樹脂で押出成形してもよい。
【００５８】
受信部Ｔ及び電源Ｐは、表示部２及びバックキャビネット４の間に取り付けられている。受信部Ｔは、テレビジョン放送を受信する。電源Ｐは、テレビジョン受信機１に電力を供給する。テレビジョン受信機１は、受信部Ｔが受信したテレビジョン放送に係る映像を表示部２の表示面２１に表示する。スタンドＳは、表示部２、フロントキャビネット３及びバックキャビネット４を起立状態で支持している。
【００５９】
図２は、表示部２、フロントキャビネット３及びバックキャビネット４を分解した概略斜視図である。図２は、表示部２、フロントキャビネット３及びバックキャビネット４を後側斜め上から示している。
表示部２は、全体として映像を表示する表示面２１を前側に有す横長の直方体状をなす。表示部２は、液晶パネル２２、拡散シート２３、導光板２４及び反射シート２５を含む。前側から後側へ向かって、液晶パネル２２、拡散シート２３、導光板２４及び反射シート２５の順に、これらの部材は積層されている。液晶パネル２２、拡散シート２３、導光板２４及び反射シート２５は、平面視において、略矩形である。
【００６０】
図３は、表示部２、フロントキャビネット３及びバックキャビネット４の断面図、図４はフロントキャビネット３の一部を略示する斜視図である。図３は、表示部２、フロントキャビネット３及びバックキャビネット４を表示面２１の法線及び上下方向に対して略平行な面で切断した断面のうち、上部断面の一部を示している。
【００６１】
図３及び図４に示すように、フロンキャビネット３の前面部３１には、開口３１ａと後述するリブ３３との間において後方に突出しており、導光板２４を押圧する押圧部３１ｂが形成してある。該押圧部３１ｂは、導光板２４の縁部分に対向するように配置してある。押圧部３１ｂの突出端部には、弾性部材３１ｃ、反射シート３１ｄ（反射部材）が順に設けてあり、押圧部３１ｂは弾性部材３１ｃ及び反射シート３１ｄを介して、導光板２４を前側から後側に押圧している。弾性部材３１ｃは樹脂部材（例えば高密度マイクロセルウレタンフォーム、ゴム又はエラストマーなど）からなる。
【００６２】
開口３１ａの縁部分が液晶パネル２２及び導光板２４を前側から後側に押圧し、更に押圧部３１ｂが導光板２４を前側から押圧するので、導光板２４に対する挟持力が向上し、導光板２４を所定位置で安定的に固定することができる。また押圧部３１ｂの突出端部（導光板２４に直接接触する部分）に反射シート３１ｄを設けているので、押圧部３１ｂに押圧されている箇所で光が確実に反射し、液晶パネル２２の輝度を向上させることができる。また弾性部材３１ｃによって、押圧部３１ｂの突出端部から導光板２４への押圧力が分散するので、導光板２４の損傷及び歪みの発生を防止することができる。なお弾性部材３１ｃが透光性を有する部材で構成してある場合、弾性部材３１ｃ及び反射シート３１ｄを反射シート３１ｄ、弾性部材３１ｃの順で押圧部３１ｂの突出端部に設けてもよい。
【００６３】
表示部２の液晶パネル２２は、いわゆるエッジライト方式により後方から照射された光を用いて映像を表示する。なお、液晶パネル２２は、直下型方式により光を照射されてもよい。
導光板２４は、直方体状をなし、アクリル、ポリカーボネイト等の光透過性に優れた透明樹脂からなる。導光板２４の表面には、例えばドットパターン又は梨皮の表面のようにざらついた粗面が成型されている。後述するＬＥＤ（Light Emitting Diode）３５ｂからの光が導光板２４の側面に入射するように、導光板２４とＬＥＤ３５ｂとは位置決めされている。
【００６４】
液晶パネル２２の周縁部分の内部には、光の通過を遮断する遮光部２２ａが周設してある。遮光部２２ａは開口３１ａの外側に位置する部分を有しており、該部分は、弾性部材Ｅの開口３１ａ側部分に対向している。弾性部材Ｅにおける開口３１ａ側と反対側の部分は遮光部２２ａよりも外側に位置する。
【００６５】
反射シート２５は、反射性のよい白色樹脂からなり、導光板２４に入射した光を反射し、導光板２４に戻す機能を有する。反射シート２５の表面には、反射性のよい塗料が塗布されていてもよい。導光板２４及び反射シート２５は、ＬＥＤ３５ｂからの入射光を均一化し、拡散シート２３に出射する。
【００６６】
拡散シート２３は、樹脂製の板状部材に光散乱粒子が分散配合されてなる。拡散シート２３は、導光板２４から前側に出射された光を拡散し、均一化された輝度分布を有する光を液晶パネル２２に照射する。
【００６７】
液晶パネル２２は、拡散シート２３からの照射光を変調し、前側の表示面２１に映像を表示する。液晶パネル２２は、弾性部材Ｅを介してフロントキャビネット３から押さえられている。弾性部材Ｅは、例えば高密度マイクロセルポリウレタンフォームであり、液晶パネル２２前面の周囲に配置されている。
なお、液晶パネル２２は、プリズムシート、偏光シート等の公知の光学シート材が必要に応じて適宜積層する構成を備えてもよい。
【００６８】
フロントキャビネット３は、前面部３１、周面部３２及びリブ３３を含む。
前面部３１は、表示部２の表示面２１の周縁部を覆う矩形枠状部材である。図１及び図２に示すように、前面部３１は内部に略矩形の開口３１ａを有する。ユーザは、開口３１ａにより表示部２の表示面２１に表示された映像を見ることができるようになっている。
【００６９】
周面部３２は、前面部３１の外周縁から後側に突出するように設けられている。周面部３２は、後側から見て矩形筒状をなし、表示部２の周面部を取り囲んで覆っている。
【００７０】
リブ３３は、前面部３１の後側面から後側へ向かって、周面部３２と表示部２との間に突設されている。リブ３３の後側先端の位置は、周面部３２の後側先端の位置より前側にある。リブ３３は、細長い直方体状をなし、導光板２４の上下左右各辺に対応するように、合計４つが設けられている。各リブ３３の後側面には、リブ３３の長手方向に対して平行にリブ溝３３１が延設されている。
また、リブ３３と周面部３２との間には、隙間あるいは空隙である周面溝３２１が形成されている。
【００７１】
導光板２４が有する上面部及び下面部と夫々対向するリブ３３の基部には、光源３５が設けてある。光源３５は、１又は複数のＬＥＤ基板３５ａと、該ＬＥＤ基板３５ａに実装された複数のＬＥＤ３５ｂ、３５ｂ、・・・、３５ｂを備える。
ＬＥＤ基板３５ａはアルミニウム製であり、１枚ずつビス止めされている。ＬＥＤ基板３５ａは、導光板２４の周面の長手方向と略平行な細長い矩形状をなす。ＬＥＤ基板３５ａの長手方向は、導光板２４の周面の法線及び表示面２１の法線に直交する方向と略同一でもある。
【００７２】
ＬＥＤ３５ｂはＬＥＤ基板３５ａの長手方向に沿って、ＬＥＤ基板３５ａ上に並設してある。ＬＥＤ３５ｂを実装した基板３５ａをアルミニウム製とすることによって、フロントキャビネット３への熱伝導が促進される。
【００７３】
なお、ＬＥＤ基板３５ａは、リブ３３の基部に対して高熱伝導性の両面テープにより接着されていてもよい。また、ＬＥＤ基板３５ａは、導光板２４が有する左右２面の側面と夫々対向するリブ３３の基部に設けられてもよいし、導光板２４が有する上下左右４面の周面と夫々対向するリブ３３の基部に設けられてもよい。
【００７４】
なお、ＬＥＤ３５ｂは、導光板２４に光を射出する光源の一例であり、当該光源は例えば電球、熱陰極蛍光灯、ＥＬ（Electro Luminescence）、冷陰極管等でもよい。
【００７５】
フロントキャビネット３の外面、すなわち前面部３１及び周面部３２の外面には、ＬＥＤ３５ｂの配列方向に対して略平行に溝３０が形成されている。図３の断面において、ＬＥＤ３５ｂは、フロントキャビネット３上部の略中央に位置し、溝３０はフロントキャビネット３の外面全体に設けられている。溝３０の形状、幅及び深さは、ＬＥＤ３５ｂの配列方向について略一定である。そのため、ＬＥＤ３５ｂの配列方向に対して略垂直な面でフロントキャビネット３を切断した場合、溝３０の形状、深さ、幅、位置、間隔等は、どの切断位置でも略同じである。溝３０の幅は、指の大きさより狭く構成されている。あるいは、溝３０の幅は、指がフロントキャビネット３の外面に触れた場合、指が溝３０の内面に接触しない程度の大きさである。そのため、指がフロントキャビネット３の外面に触れた場合、指は溝３０と溝３０との間の平坦部分にのみ触れる。
図１に示されるように、フロントキャビネット３全体を前側から俯瞰した場合、溝３０はフロントキャビネット３の外周又は開口３１ａに沿った矩形を構成する。
【００７６】
図１、図２及び図３では、複数本の溝３０を例示しているが、溝３０の本数は、特定本数に限られない。図３における溝３０の断面形状は例えば半円形であるが、これに限るものではない。溝３０の断面形状は、矩形、台形、半楕円形等でもよい。
あるいは、溝３０の断面形状は三角形でもよい。かかる場合、溝３０と溝３０との間隔をなくし、断面形状が山切りカットになるようにフロントキャビネット３の外面を成形してもよい。
【００７７】
図３に示すように、前面部３１と周面部３２とが会合する前側角部における溝３０の深さは、前側角部を除いたフロントキャビネット３の他の外面に設けられた溝３０の深さよりも深い。当該前側角部、特に上部の前側角部は、ユーザが触る頻度の高いフロントキャビネット３の部分である。
【００７８】
導光板２４の後側にバックキャビネット４が設けてある。該バックキャビネット４は前側が開放された矩形のトレイ状をなし、縦向きに配置してある。バックキャビネット４の中央部分には、前側に突出した凹部４００が形成してある。該凹部４００の底部分４ａは導光板２４に略平行な板状をなし、反射シート２５に対向し且つ近接している。底部分４ａの周縁部分は押圧部３１ｂに対向する。凹部４００の側面部分４ｂは底部分４ａに連なり、底部分４ａから後方に向けて拡開するように傾斜している。底部分４ａの周縁部分及び押圧部３１ｂは、前後方向に直交する方向において同じ位置にある。
【００７９】
側面部分４ｂの後端はリブ３３及び周面溝３２１よりも後側に位置している。側面部分４ｂの後端には底部分４ａに略平行な板状の周縁部分４ｃが連なり、該周縁部分４ｃは周面溝３２１まで延出している。
【００８０】
周縁部分４ｃの延出端部には、前側に突出した板状の突出部４１が連なる。突出部４１は、周面溝３２１に沿って、フロントキャビネット３の周面溝３２１と対向するバックキャビネット４の外縁端を縁取るように、前側に突設されている。突出部４１は、周面溝３２１の長手方向に対して略平行に周設されており、板状をなす。突出部４１の肉厚は周面溝３２１の溝幅と同一又は周面溝３２１の溝幅より大きく、突出部４１は周面溝３２１に嵌合可能に構成されている。図３では見やすくするために、突出部４１の肉厚は薄く描かれている。
なお、突出部４１は、前側先端ほど肉厚が薄くなる楔状であってもよいし、前側先端部の肉厚が他の部分の肉厚より厚い形状でもよい。突出部４１の周設方向の長さは、周面溝３２１の長さと同じでもよいし、周面溝３２１の長さと異なっていてもよい。
【００８１】
フロントキャビネット３のリブ溝３３１と対向するバックキャビネット４の位置には円形のねじ挿通穴４２が設けられている。１本のリブ溝３３１に対応するねじ挿通穴４２の数は、図２の例では７つ又は５つである。しかし、１本のリブ溝３３１に対応するねじ挿通穴４２の数は、これに限るものではなく、７つ又は５つ以外であってもよい。１本のリブ溝３３１に対応するねじ挿通穴４２の数は、対応するリブ溝３３１が異なる場合、異なっていてもよい。
【００８２】
ねじ挿通穴４２の後側からタッピンねじ５をリブ溝３３１に螺合することにより、バックキャビネット４はフロントキャビネット３に結合される。従って、ねじ挿通穴４２の径の大きさは、タッピンねじ５の軸部が挿通可能な大きさである。タッピンねじ５の素材は、例えばアルミニウム、鉄、ステンレス等である。タッピンねじ５の頭部は、ナベ頭、皿頭、トラス頭等何でもよく、特定の形状に限定されない。
なお、タッピンねじ５の軸部の外径の大きさは、リブ溝３３１の溝幅よりも若干大きい値に設定されている。あるいは、リブ溝３３１の溝幅は、タッピンねじ５の外径よりも若干狭い幅に設定されている。
【００８３】
図５は、図３の切断線Ｖ−Ｖで切断したフロントキャビネット３の断面図である。図５は、前側から見たフロントキャビネット３の略垂直断面を示している。図５の上方は上、図５の下方は下である。
図６は、図３の切断線ＶＩ−ＶＩで切断したフロントキャビネット３の断面図である。図６は、上から見たフロントキャビネット３の略水平断面を示している。図６の上方はテレビジョン受信機１の後側、図６の下方はテレビジョン受信機１の前側である。
【００８４】
前面部３１と周面部３２とが会合するフロントキャビネット３の前側角部であり、かつＬＥＤ３５ｂが配列される上下の前側角部には、ＬＥＤ３５ｂの配列方向に対して略平行に細長い中空の空洞３００が設けられている。空洞３００が伸びている方向は、溝３０が伸びている方向とも略同じである。
【００８５】
空洞３００の長手方向に対して略垂直な面でフロントキャビネット３を切断した場合、その空洞３００の形状はフロントキャビネット３の外面と略平行な面を持つ略多角形である。例えば、図３の例では、周面部３２の外面は、後側から前側にかけて上方向にせり出しており、空洞３００の上側の内面は後側から前側にかけて上方向に傾斜している。図３の例では、ＬＥＤ基板３５ａに近い後側かつ下側の空洞３００の角面は、空洞３００の内部に突出している。そのため、図３の例における空洞３００の断面形状は、略四角形の一隅角を内側に突出させた略六角形である。ＬＥＤ基板３５ａに近い後側かつ下側の空洞３００部分の容積は、その他の部分の空洞３００の容積より小さい。
なお、長手方向に対して垂直な面で切断した場合の空洞３００の形状は、多角形、円形、楕円形、不規則形等何でもよい。また、空洞３００の本数は、１本に限るものではなく、同一方向の空洞３００が複数設けられてもよい。
【００８６】
テレビジョン受信機１によれば、ユーザが触れる機会の多いフロントキャビネット３の前側角部に空洞３００が設けられている。フロントキャビネット３が例えば金属からなる場合、空洞３００は金属よりも熱伝導率が小さい空気で占められている。そのため、空洞３００は、ＬＥＤ３５ｂからフロントキャビネット３の前側角部へ移動する熱流量を少なくすることができる。従って、空洞３００は、ユーザがフロントキャビネット３の前側角部に触れた場合、ユーザに熱さを感じさせ難くする効果がある。
また、フロントキャビネット３に空洞３００を設けることにより、空洞３００の容積分の材料を節約することができる。
なお、空洞３００に熱伝導率が小さい断熱材を充填してもよい。熱伝導率が小さい断熱材は、例えばグラスウール、ロックウール、ウレタンフォーム、フェノールフォーム、セルローズファイバー、羊毛等である。
【００８７】
上述のフロントキャビネット３又はバックキャビネット４の溝３０は、ＬＥＤ３５ｂの配列方向と略平行に連続していた。しかし、溝３０は、途切れ途切れに間欠的に設けられてもよい。また、溝３０の方向は、ＬＥＤ３５ｂの配列方向と略平行な方向に限らない。例えば、溝３０の方向は、ＬＥＤ３５ｂの配列方向と略直交する方向であってもよい。
【００８８】
図７はフロントキャビネット３及びバックキャビネット４による挟持を説明する説明図である。図７に示すように、バックキャビネット４において凹部４００の底部分４ａの周縁部分は押圧部３１ｂに対向する。底部分４ａの周縁部分及び押圧部３１ｂは、前後方向に直交する方向において同じ位置に存在する。そのためタッピンねじ５をリブ３３に螺合した場合、底部分４ａの周縁部分と押圧部３１ｂとの間で、導光板２４に正反対の力が前後に作用する（図７に示す白抜き矢印参照）。導光板２４は強固な力によって前後から挟持され、安定に支持される。また底部分４ａと開口３１ａの縁部分との間で、液晶パネル２２及び導光板２４それぞれに正反対の力が前後に作用し（図７に示す矢印参照）、白抜き矢印にて示される力と併せて液晶パネル２２及び導光板２４を強力に固定することができる。
【００８９】
バックキャビネット４は、凹部４００を形成することによって、バックキャビネット４の中央部から押圧部３１ｂに対向する箇所まで前側に突出している。そのため少なくとも開口３１ａの縁部分から押圧部３１ｂに至るまで、フロントキャビネット３及びバックキャビネット４の前後幅は狭い。この狭くなった部分で導光板２４及び液晶パネル２２を挟持することができるので、上述したように導光板２４及び液晶パネル２２を前後から二箇所で強力に挟持し、導光板２４及び液晶パネル２２を所定位置にて確実に固定することができる。
【００９０】
次に、テレビジョン受信機１の組み立て方法の概要について説明する。
フロントキャビネット３の前側を下にし、フロントキャビネット３を水平面上に置く。フロントキャビネット３の上に、液晶パネル２２、拡散シート２３、導光板２４及び反射シート２５をこの順で累積させる。
フロントキャビネット３の周面溝３２１にバックキャビネット４の突出部４１が対向するように、フロントキャビネット３に対してバックキャビネット４の位置決めを行う。突出部４１を周面溝３２１に嵌合し、フロントキャビネット３とバックキャビネット４とを結合する。タッピンねじ５をバックキャビネット４のねじ挿通穴４２に挿通し、タッピンねじ５の軸部をリブ溝３３１に螺合する。
【００９１】
テレビジョン受信機１によれば、フロントキャビネット３の外面に溝３０を設けることにより、フロントキャビネット３が外側の空気と接する表面積を増やすことができる。これにより、テレビジョン受信機１の放熱効果を高め、フロントキャビネット３及びバックキャビネット４の温度上昇を抑えることができる。
電気機器のキャビネットの温度が所定の温度を超えて上昇した場合、ユーザは当該キャビネットに触れることが困難になる。しかし、フロントキャビネット３の外面に指の大きさより小さな幅の溝３０を設けることで、ユーザがフロントキャビネット３に触れる接触面積は小さくなる。そのため、テレビジョン受信機１は、溝３０が設けられていない場合に比べて、ユーザの体感温度を低くすることができる。
【００９２】
なお、溝３０は、バックキャビネット４に設けられてもよい。バックキャビネット４の溝３０の方向は、ＬＥＤ３５ｂの配列方向と略同じである。また、バックキャビネット４の溝３０の幅は、フロントキャビネット３の溝３０の幅と同様に指の大きさより狭い。
溝３０は、フロントキャビネット３又はバックキャビネット４の内面に設けられてもよい。また、溝３０とともに、フロントキャビネット３又はバックキャビネット４の外面又は内面に小さな突起を有するエンボス加工が施されてもよい。
【００９３】
ＬＥＤ３５ｂは、温度が高いほど、パッケージ、蛍光体等が劣化し、その輝度が下がる。また、ＬＥＤ３５ｂは、温度が高いほど、色度も変化する。そのため、フロントキャビネット３の内部温度分布にムラがある場合、ＬＥＤ３５ｂの輝度、色度及び寿命にばらつきが生じる。
しかしながら、テレビジョン受信機１によれば、溝３０はＬＥＤ３５ｂの配列方向に対して略平行に設けられている。また、溝３０の形状、幅及び深さは、ＬＥＤ３５ｂの配列方向について略一定である。そのため、ＬＥＤ３５ｂの配列方向に対して略垂直な面によりフロントキャビネット３を切断した場合、フロントキャビネット３の断面の形状及び面積は切断位置の違いに関係なく略一定である。
ＬＥＤ３５ｂで発生した熱はＬＥＤ基板３５ａを介してフロントキャビネット３に移動し、フロントキャビネット３の外面から空気中に放出される。ＬＥＤ３５ｂで発生した熱の通り道であるフロントキャビネット３の内部温度分布は、各ＬＥＤ３５ｂの発熱量が同じであることと、ＬＥＤ３５ｂの配列方向に対するフロントキャビネット３の断面の形状及び面積が同じであることから、前記切断位置の違いに関係なく同じである。従って、ＬＥＤ基板３５ａ上に配列した各ＬＥＤ３５ｂの間に温度ムラは生じない。そのため、ＬＥＤ３５ｂの配列方向と略平行な溝３０の構造は、各ＬＥＤ３５ｂの輝度、色度及び寿命のばらつきを低減することができる。
【００９４】
テレビジョン受信機１によれば、ユーザが触れる機会の多いフロントキャビネット３の前側角部における溝３０の深さは、フロントキャビネット３の他の部分の溝３０の深さより深い。これにより、フロントキャビネット３の前側角部では、フロントキャビネット３の接峰面の単位面積当たりにおける空気との接触面積が、他の部分よりも大きくなる。ここでの接峰面とは、フロントキャビネット３の外面のうち、溝３０以外の突き出た平坦部をつないで作った面である。空気と触れる表面積が大きいフロントキャビネット３の前側角部は放熱効果が高くなり、温度が効率よく下がる。そのため、ユーザがフロントキャビネット３の前側角部に触れても、ユーザは熱さを感じ難い。
【００９５】
なお、フロントキャビネット３の前側角部の外面を、図３に示す外面よりも溝３０の間隔を狭く、かつ溝幅を広くし、フィン状にしてもよい。あるいは、フロントキャビネット３の前側角部の外面における溝本数の密度を他の部分の溝本数の密度より高くしてもよい。これにより、ユーザが前側角部を触れる場合のフロントキャビネット３との接触面積はフロントキャビネット３の他の部分における接触面積よりも小さくなり、ユーザはより熱さを感じ難くなる。
【００９６】
なおフロントキャビネット３は例えば以下のようにして製造される。図８はフロントキャビネット３の製造工程を説明する説明図である。図８Ａに示すように、細長い二つの長杆体１２１、１２１と該長杆体１２１よりも短い短杆体二つの１２２、１２２を準備する。長杆体１２１及び短杆体１２２は押出成形によって製造される。なお長杆体１２１及び短杆体１２２は、引き抜き成形、射出成形又はプレス成形など他の方法で製造してもよい。
【００９７】
長杆体１２１及び短杆体１２２の各両端面は長さ方向に対して交差した傾斜面をなす。長杆体１２１及び短杆体１２２のいずれにおいても、長さ方向に対する両端の傾斜面の傾斜角度は略同じであり、傾斜方向は互いに逆向きである。例えば一方の傾斜面の傾斜角度及び傾斜方向がプラス３０度であれば、他方はマイナス３０度である。長杆体１２１及び短杆体１２２の傾斜面の傾斜角度はいずれも略同じである。長杆体１２１、１２１を互いに対向させて配置し、短杆体１２２、１２２を互いに対向させ且つ長杆体１２１、１２１に直交させて配置する。このとき長杆体１２１及び短杆体１２２の各端面を対向させる。
【００９８】
図８Ｂに示すように、長杆体１２１及び短杆体１２２の各端面を接合し、フロントキャビネット３を製造する。なお長杆体１２１及び短杆体１２２の接合は公知の接合手段によって実現される。例えば長杆体１２１及び短杆体１２２の接合部分に金具を設けてねじ止めする。長杆体１２１及び短杆体１２２が金属製であれば、溶接によって接合してもよい。長杆体１２１及び短杆体１２２の少なくとも一方が樹脂部材からなる場合は、高周波融着によって接合してもよい。なおフロントキャビネット３の製造方法は上述した方法に限定されない。例えば射出成形によってフロントキャビネット３全体を一体成形してもよい。
【００９９】
実施の形態２
図９はテレビジョン受信機１を部分的に略示する縦断面図、図１０はフロントキャビネット３の一部を略示する斜視図である。
【０１００】
バックキャビネット４において、凹部４００の底部分４ａは導光板２４に略平行な板状をなし、反射シート２５に対向し且つ近接している。底部分４ａの上下及び左右寸法は開口３１ａと略同じである。底部分４ａの周縁部分は開口３１ａの縁部分に対向し、弾性部材Ｅよりも内側（開口３１ａ側）に位置する。凹部４００の側面部分４ｂは底部分４ａに連なり、底部分４ａから後方に向けて拡開するように傾斜している。底部分４ａ及び側面部分４ｂが連なった部分は、前後方向において遮光部２２ａに対向する。
【０１０１】
バックキャビネット４において、少なくとも底部分４ａと開口３１ａの縁部分との間の前後幅が他の箇所に比べて狭いので、この狭くなった部分で導光板２４及び液晶パネル２２を挟持する。このため挟持力が向上し、導光板２４及び液晶パネル２２を所定位置で固定することができる。
【０１０２】
弾性部材Ｅを介して遮光部２２ａ又は遮光部２２ａの外側で表示パネル１０を挟持するので、挟持によって液晶パネル２２に歪みが生じたとしても、歪みは遮光部２２ａ付近に止まる。そのため遮光部２２ａよりも内側に表示される映像に歪みによる影響は生じない。
【０１０３】
実施の形態２に係るテレビジョン受信機１の内、実施の形態１と同様な構成については同じ符号を付し、その詳細な説明を省略する。
【０１０４】
実施の形態３
図１１はテレビジョン受信機１を部分的に略示する縦断面図である。図１１に示すように、バックキャビネット４において、凹部４００の底部分４ａの周縁部分は弾性部材Ｅに対向する。底部分４ａの周縁部分及び弾性部材Ｅ（開口３１ａの縁部分）は、前後方向に直交する方向において同じ位置に存在する。そのためタッピンねじ５をリブ３３に螺合した場合、底部分４ａの周縁部分と開口３１ａの縁部分との間で、液晶パネル２２及び導光板２４それぞれに正反対の力が前後に作用する（図１１に示す矢印参照）。液晶パネル２２及び導光板２４は強固な力によって前後から挟持され、安定に支持される。
【０１０５】
実施の形態３に係るテレビジョン受信機１の内、実施の形態１又は２と同様な構成については同じ符号を付し、その詳細な説明を省略する。
【０１０６】
実施の形態４
図１２はテレビジョン受信機１を部分的に略示する縦断面図である。図１２においてタッピンねじ５の記載を省略している。図１２に示すように、フロントキャビネット３の表面に溝３０を設けていない。この場合においても、空洞３００によって、ＬＥＤ３５ｂからフロントキャビネット３の前側角部へ移動する熱流量を少なくすることができる。また空洞３００は、ユーザがフロントキャビネット３の前側角部に触れた場合、ユーザに熱さを感じさせ難くする効果がある。また、フロントキャビネット３に空洞３００を設けることにより、空洞３００の容積分の材料を節約することができる。
【０１０７】
実施の形態５
図１３はテレビジョン受信機１を略示する分解斜視図、図１４はテレビジョン受信機を部分的に略示する縦断面図である。
図１３に示すように、テレビジョン受信機１は矩形枠状のカバー５０を備える。該カバー５０は、樹脂部材（例えばポリスチレン又はアクリル系樹脂部材等）からなり、フロントキャビネット３の開口３１ａと略同寸の開口５１を有する。またカバー５０の外形寸法はフロントキャビネット３よりも一回り大きい。
【０１０８】
図１４に示すように、カバー５０は、フロントキャビネット３の外面を全体的に被覆しており、フロントキャビネット３を構成する長杆体１２１及び短杆体１２２の接合部分を被覆している。また光源３５を設けたフロントキャビネット３上部を被覆している。カバー５０とフロントキャビネット３の外面との間には両面テープ６０が設けてあり、該両面テープ６０によって両者が接着されている。フロントキャビネット３に伝導した熱は更にカバー５０に伝導し、外部に放出される。
【０１０９】
実施の形態５に係るテレビジョン受信機１にあっては、フロントキャビネット３の外面を全体的に被覆しているので、ユーザはフロントキャビネット３に直接触れない。フロントキャビネット３に伝導した熱は更にカバー５０に伝導し、外部に放出されるが、カバー５０によって熱の伝導は緩和されるので、光源３５からフロントキャビネット３に伝導した熱によってユーザが過剰に熱さを感じることがなく、安全性を向上させることができる。また長杆体１２１及び短杆体１２２の接合部分をカバー５０で被覆しており、接合部分からの光漏れを防ぐことができる。またカバー５０は光源３５を設けたフロントキャビネット３上部を被覆している。すなわち、フロントキャビネット３外面における光源３５を設置した内面に対応する部分（光源３５の真裏側）をカバー５０は被覆しており、光源３５からの熱伝導が最も著しい箇所を被覆しているので、安全性が確実に向上する。なおフロントキャビネット３の外面に溝３０を形成してもよい。
【０１１０】
実施の形態５に係るテレビジョン受信機の構成の内、実施の形態１〜４と同様な構成については同じ符号を付し、その詳細な説明を省略する。
【０１１１】
実施の形態６
図１５はテレビジョン受信機１を略示する分解斜視図、図１６はテレビジョン受信機を部分的に略示する縦断面図である。
図１５に示すように、カバー５０上部に横長の複数のスリット（貫通孔）５２が並設してある。図１６に示すように、カバー５０の後端部には内側に向けて突出した突出部５３を設けてある。図１６に示すように、テレビジョン受信機１はフロントキャビネット３の上部に光源３５を備えており、カバー５０をフロントキャビネット３に取り付けた場合、スリット５２はフロントキャビネット３上側に位置する。また突出部５３はフロントキャビネット３の後端部に係止する。
【０１１２】
実施の形態６に係るテレビジョン受信機１にあっては、カバー５０にスリット５２を設けることによって、高温部分を被覆して安全性を向上させると共に、スリット５２からフロントキャビネット３に伝導した熱を確実に放出することができ、放熱効率を向上させることができる。カバー５０は、突出部５３をフロントキャビネット３の後端部に係止させてフロントキャビネット３に取り付けてあるが、両面テープをカバー５０とフロントキャビネット３の外面との間に設けて、両者を接着させてもよい。またスリット５２の位置は上部に限定されず、光源３５に対応した位置にスリット５２を設ければよい。例えばフロントキャビネット３の左右側部又は下部に光源３５が設けてある場合、スリット５２をカバー５０の左右側部又は下部に設ければよい。なおフロントキャビネット３の外面に溝３０を形成しているが、溝３０を形成しなくてもよい。
【０１１３】
実施の形態６に係るテレビジョン受信機の構成の内、実施の形態１〜５と同様な構成については同じ符号を付し、その詳細な説明を省略する。
【０１１４】
実施の形態７
図１７はテレビジョン受信機１を略示する分解斜視図、図１８はテレビジョン受信機を部分的に略示する縦断面図である。
図１７に示すように、カバー５０の上部に切欠（非被覆部）５４が形成してある。該切欠５４は、カバー５０の前部分及び上面部分に亘って形成されている。図１８に示すように、テレビジョン受信機１はフロントキャビネット３の上部に光源３５を備えており、カバー５０をフロントキャビネット３に取り付けた場合、切欠５４はフロントキャビネット３の上側に位置し、フロントキャビネット３の上部が露出する。
【０１１５】
実施の形態７に係るテレビジョン受信機１にあっては、カバー５０に切欠５４を設けることによって、切欠５４からフロントキャビネット３に伝導した光源３５からの熱を確実に放出することができる。なお切欠５４に代えて、フロントキャビネット３の上部が全体的に露出する穴又は欠落部分を設けてもよい。なおフロントキャビネット３の外面に溝３０を形成しているが、溝３０を形成しなくてもよい。カバー５０は、突出部５３をフロントキャビネット３の後端部に係止させてフロントキャビネット３に取り付けてあるが、両面テープをカバー５０とフロントキャビネット３の外面との間に設けて、両者を接着させてもよい。
【０１１６】
実施の形態７に係るテレビジョン受信機の構成の内、実施の形態１〜６と同様な構成については同じ符号を付し、その詳細な説明を省略する。
【０１１７】
実施の形態８
図１９はテレビジョン受信機１を略示する分解斜視図である。
図１９に示すように、カバー５０の左右側部に切欠（非被覆部）５５、５５が形成してある。カバー５０をフロントキャビネット３に取り付けた場合、切欠５５、５５はフロントキャビネット３の左右に位置する。テレビジョン受信機１はフロントキャビネット３の上部に光源３５を備えており、カバー５０は光源３５を設けたフロントキャビネット３の上部を被覆するが、光源３５を設けていないフロントキャビネット３の左右側部を被覆していない。
【０１１８】
実施の形態８に係るテレビジョン受信機１にあっては、高温部分（光源３５を設けたフロントキャビネット３の上部）をカバー５０にて被覆して安全性を向上させることができる。またフロントキャビネット３の左右側部は切欠５５、５５によって露出しており、前記左右側部に伝導した光源３５の熱は確実に放出されるので、安全性と放熱効率向上との両立を図ることができる。なお切欠５５の位置は左右側部に限定されない。例えばフロントキャビネット３の下部に設けてもよい。なお切欠５５に代えて、フロントキャビネット３の左右側部又は下部が全体的に露出する穴又は欠落部分を設けてもよい。なおフロントキャビネット３の外面に溝３０を形成しているが、溝３０を形成しなくてもよい。カバー５０は、突出部５３をフロントキャビネット３の後端部に係止させてフロントキャビネット３に取り付けてあるが、両面テープをカバー５０とフロントキャビネット３の外面との間に設けて、両者を接着させてもよい。
【０１１９】
実施の形態８に係るテレビジョン受信機の構成の内、実施の形態１〜７と同様な構成については同じ符号を付し、その詳細な説明を省略する。
【０１２０】
実施の形態９
図２０はテレビジョン受信機を部分的に略示する縦断面図である。図２０に示すように、フロントキャビネット３の前面部３１及び周面部３２には、断面Ｌ状の溝３０が空洞３００に沿って複数設けてある。溝３０の断面をＬ状にすることによって、溝３０の内側面積を半円状に比べて大きくすることができる。その結果、フロントキャビネット３の表面積を大きくすることができ、放熱効率を向上させることができる。
【０１２１】
実施の形態９に係るテレビジョン受信機の構成の内、実施の形態１〜８と同様な構成については同じ符号を付し、その詳細な説明を省略する。
【０１２２】
実施の形態１０
図２１はテレビジョン受信機を部分的に略示する縦断面図である。図２１に示すように、フロントキャビネット３の前面部３１及び周面部３２には、断面矩形状の溝３０が空洞３００に沿って複数設けてある。溝３０の断面を矩形状にすることによって、溝３０の周囲がフィン状になる。その結果、フロントキャビネット３の表面積を大きくすることができ、放熱効率を向上させることができる。また断面矩形状の溝３０は加工が容易であり、フロントキャビネット３を効率良く製造することができる。
【０１２３】
実施の形態１０に係るテレビジョン受信機の構成の内、実施の形態１〜９と同様な構成については同じ符号を付し、その詳細な説明を省略する。
【０１２４】
実施の形態１１
図２２はテレビジョン受信機を部分的に略示する縦断面図である。図２２に示すように、前面部３１と周面部３２とが会合するフロントキャビネット３の前側角部には、空洞３００が設けられている。フロントキャビネット３の前側角部は、フロントキャビネット３の他の部分に比べて、斜め上前方に突出した曲面状をなす。換言すれば前記前側角部は斜め上前方に膨出した曲面をなす。そのため前記前側角部の表面積は、突出していない場合に比べて大きくなり、放熱効率が向上する。また表面積が大きくなることで、熱が分散し、表面温度が低下して安全性を高めることができる。また突出しない場合に比べて空洞３００の空間体積を大きくし、熱の伝導を更に抑制することができる。
【０１２５】
実施の形態１１に係るテレビジョン受信機の構成の内、実施の形態１〜１０と同様な構成については同じ符号を付し、その詳細な説明を省略する。
【０１２６】
実施の形態１２
図２３はテレビジョン受信機の右側部分を略示する正面図、図２４は図２３に示すＸＸＩＶ−ＸＸＩＶ線を切断線としたフロントキャビネット３の略示断面図である。フロントキャビネット３の左右部分の内部それぞれに、空洞３０１が上下に延設してある。該空洞３０１は断面矩形状をなす。なお空洞３０１の断面形状は矩形に限定されず、仕様に応じて、円形、Ｌ形等その他の形状であってもよい。フロントキャビネット３の左右部分には、外部に連通する二つの連通孔３０２、３０２が上下に並設してある。連通孔３０２、３０２は左右側面に位置し、空洞３０１に連通している。そのため光源３５等によって暖められた空洞３０１内の空気は上方へ移動し、上側の連通孔３０２から排出される。また空気の排出によって、空洞３０１内は負圧となり、下側の連通孔３０２から外部の空気が空洞３０１内に供給される。上側の連通孔３０２は排気孔として機能し、下側の連通孔３０２は吸気孔として機能する。そのため空洞３０１内の通気が円滑に行われ、速やかな冷却を実現することができる。
【０１２７】
なお図２３及び図２４はテレビジョン受信機の右側部分のみ示しているが、左側部分も右側部分と同様に、上下に延設された空洞３０１及び空洞３０１に連通する連通孔３０２を備える。またフロントキャビネット３は、他の実施形態と同様に上下部分に空洞３００を備え、また溝３０（図示省略）を備える。なおフロントキャビネット３を一体成形する場合、空洞３００及び空洞３０１を一体に成形してもよい。
【０１２８】
実施の形態１２に係るテレビジョン受信機の構成の内、実施の形態１〜１１と同様な構成については同じ符号を付し、その詳細な説明を省略する。
【０１２９】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【０１３０】
１  テレビジョン受信機
２  表示部
２１  表示面
３  フロントキャビネット
３０  溝
３１  前面部
３２  周面部
３５  光源
３５ｂ  ＬＥＤ
３００  空洞
４  バックキャビネット
Ｔ  受信部
５０  カバー
５２  スリット（貫通孔）
５３  突出部
５４、５５  切欠（非被覆部）
【要約】
【課題】ユーザが触れても熱さを感じにくいキャビネットを備えた表示装置及びテレビジョン受信機を提供する。
【解決手段】前側に表示面２１を有する表示部２と、表示部２の周縁部を取り囲むフロントキャビネット３と、表示部２の後側を覆うバックキャビネット４とを備えた表示装置において、表示部２の外周面と対向するフロントキャビネット３の内面には光源３５が設置されており、フロントキャビネット３又はバックキャビネット４は外面に溝３０を有する。フロントキャビネット３の前側角部に、細長い空洞３００が設けてある。空洞３００はＬＥＤ３５ｂの配列方向に対して略平行に延びる。
【選択図】図３【図１】
0005161381.tif 000002
【図２】
0005161381.tif 000003
【図３】
0005161381.tif 000004
【図４】
0005161381.tif 000005
【図５】
0005161381.tif 000006
【図６】
0005161381.tif 000007
【図７】
0005161381.tif 000008
【図８】
0005161381.tif 000009
【図９】
0005161381.tif 000010
【図１０】
0005161381.tif 000011
【図１１】
0005161381.tif 000012
【図１２】
0005161381.tif 000013
【図１３】
0005161381.tif 000014
【図１４】
0005161381.tif 000015
【図１５】
0005161381.tif 000016
【図１６】
0005161381.tif 000017
【図１７】
0005161381.tif 000018
【図１８】
0005161381.tif 000019
【図１９】
0005161381.tif 000020
【図２０】
0005161381.tif 000021
【図２１】
0005161381.tif 000022
【図２２】
0005161381.tif 000023
【図２３】
0005161381.tif 000024
【図２４】
0005161381.tif 000025